(57)【要約】【課題】本発明の目的は、携帯端末が文字入力手段、インプットメソッド手段、タッチパッド手段、タッチインターフェース手段の何れかを提供することにある。【解決手段】携帯端末３は、ＮＦＣペアリング３０を用い、かざされたことに応じて、電子機器２と無線通信２１を開設し電子機器２に対する利用者インターフェースとして機能する過程と、電子機器２からの要求に応じて、文字入力手段、インプットメソッド手段、タッチパッド手段、タッチインターフェース手段の何れかを利用者に提供する過程を制御することを特徴とする。【選択図】図１
2015213267.tif 000002
【特許請求の範囲】
【請求項１】
第１システム（１）は、第２システム（２）を遠隔操作する遠隔操作装置を構成し、第３システム（３）との近距離通信（３０）を提供し、
前記第３システム（３）は、前記近距離通信（３０）の発生に応じて、前記第２システム（２）とのデータ通信（２１）を開始する過程と、前記第２システム（２）からの要求を受信して、文字入力手段、インプットメソッド手段、タッチパッド手段、タッチインターフェース手段の何れかを利用者に提供し各手段の処理結果を応答する過程を含むことを特徴とする二者間通信開始方法。
【請求項２】
第１システム（１）は、第２システム（２）を遠隔操作する遠隔操作装置を構成し、第３システム（３）との近距離通信（３０）の発生に応じて、データ通信（２１）で用いる情報（Ｍａ）を前記第３システム（３）に送信し、
前記第３システム（３）は、前記情報（Ｍａ）を受信する過程と、前記情報（Ｍａ）を用いた前記第２システム（２）との無中継の前記データ通信（２１）を開始する過程を含むことを特徴とする二者間通信開始方法。
【請求項３】
請求項１または２記載の二者間通信開始方法を実現させるために用いたことを特徴とするいずれかのシステム（１〜３）。
【請求項４】
コンピュータを、請求項３に記載のいずれかのシステム（１〜３）として機能させるための制御プログラム。
【発明の詳細な説明】
【技術分野】
【０００１】
本発明は、遠隔操作装置による遠隔操作対象の装置を含む二者間の通信を開始させる二者間通信開始方法に関する。
【背景技術】
【０００２】
従来、二者間通信開始方法が知られる。例えば、特許第５０２４９９８号公報に記載の技術は、携帯通信端末装置が、制御対象機器を制御するための信号コードを制御対象機器の制御操作と対応付けて取得する信号コード取得手段と、制御対象機器の制御のための信号コードを、遠隔制御リモコン装置に対して送信する制御手段と、を具備することを特徴とし、携帯通信端末装置は、遠隔制御リモコン装置に信号コードを送り、遠隔制御リモコン装置は、信号コードを制御対象機器に転送する技術が開示されている。
【先行技術文献】
【特許文献】
【０００３】
【特許文献１】特許第５０２４９９８号公報
【発明の概要】
【発明が解決しようとする課題】
【０００４】
ところで、上記の二者間通信開始方法は、遠隔操作機が赤外線遠隔操作装置の場合に、電子機器によって必要とされる携帯端末から受信したデータを含む赤外線信号を電子機器に向けて送信できるように、遠隔操作機が電子機器と対向している必要があると言った問題があった。
【０００５】
そこで、本発明の目的は、遠隔操作装置による遠隔操作対象の装置を含む二者間の直接通信を開始させることにある。また、携帯端末が遠隔操作対象の装置からの要求を受信して、文字入力手段、インプットメソッド手段、タッチパッド手段、タッチインターフェース手段の何れかを利用者に提供し各手段の処理結果を応答することにある。
【課題を解決するための手段】
【０００６】
上記課題を解決するため本発明の二者間通信開始方法において、第１システム（１）は、第２システム（２）を遠隔操作する遠隔操作装置を構成し、第３システム（３）との近距離通信（３０）を提供し、前記第３システム（３）は、前記近距離通信（３０）の発生に応じて、前記第２システム（２）とのデータ通信（２１）を開始する過程と、前記第２システム（２）からの要求に応じて、文字入力手段、インプットメソッド手段、タッチパッド手段、タッチインターフェース手段の何れかを利用者に提供し各手段の処理結果を応答する過程を含むことを特徴とする。
【発明の効果】
【０００７】
本発明によれば、二者間通信開始方法は、遠隔操作装置による遠隔操作対象の装置を含む二者間の直接通信を開始させることができる。また、携帯端末が遠隔操作対象の装置からの要求を受信して、文字入力手段、インプットメソッド手段、タッチパッド手段、タッチインターフェース手段の何れかを利用者に提供し各手段の処理結果を応答することができる。
【図面の簡単な説明】
【０００８】
【図１】実施形態の遠隔操作装置システムの構成図の一例である。
【発明を実施するための形態】
【０００９】
以下、本発明の一実施の形態について詳細に説明する。
【００１０】
図１は実施形態の遠隔操作装置システムの構成図の一例である。例えば、遠隔操作装置システムは、（ａ）インターネット１０、遠隔操作装置１、電子機器２、携帯端末３および決済サーバ４から構成され、インターネット１０により構成される通信ネットワークに電子機器２および決済サーバ４が接続され、遠隔操作装置１が赤外線遠隔操作装置を構成し、送信する一方向の赤外線信号２０により電子機器２が遠隔操作され、携帯端末３がクレジットカード情報、電子マネー情報などの決済用記録媒体を構成する。
【００１１】
また、（ｂ）処理として、携帯端末３のＮＦＣペアリング部が遠隔操作装置１のＮＦＣペアリング部にかざされたことに応じて、近距離通信を行うＮＦＣペアリング３０が行われ、遠隔操作装置１がＮＦＣペアリング３０を介して電子機器２のＭＡＣアドレスＭａを携帯端末３に送信し（ステップＳ０１）、携帯端末３がＭＡＣアドレスＭａに該当する電子機器２とBluetooth（登録商標）などの無線通信２１を開始し（ステップＳ０２）、無線通信２１、電子機器２およびインターネット１０を介して、携帯端末３と決済サーバ４間で決済データの送受信が行われて決済処理が実施される。
【００１２】
遠隔操作装置１、電子機器２、携帯端末３、決済サーバ４などの装置は、ＣＰＵ、ＲＯＭ、ＲＡＭを有するコンピュータ部を備える。さらに、遠隔操作装置１は、赤外線信号送信部、ＮＦＣペアリング部、操作ボタン部などを備え、電子機器２は、赤外線信号受信部、無線通信部、ネットワーク通信部などを備え、携帯端末３は、記憶装置、無線通信部、ＮＦＣペアリング部などを備え、決済サーバ４は、記憶装置、ネットワーク通信部などを備える。遠隔操作装置１は、双方向無線により電子機器２の遠隔操作などを行う構成としてもよい。遠隔操作装置１と電子機器２は、例として、リモコン装置とテレビジョン、マウスとコンピュータなどが挙げられる。
【００１３】
上記の実施形態において、遠隔操作装置１と電子機器２の双方は、ＵＳＢ端子などを備え、双方が接続されることにより、電子機器２が遠隔操作装置１にＭＡＣアドレスＭａを記憶させる初期設定手段を備える。遠隔操作装置１は、利用者のボタン操作により、または、電子機器２の製造時にＭＡＣアドレスＭａを記憶させる初期設定手段を備える構成としてもよい。また、電源ボタンなどが押下された場合に、双方向無線などにより電子機器２からＭＡＣアドレスＭａを受信して記憶する初期設定手段を備える構成としてもよい。携帯端末３は、スマートフォンなどであって、遠隔操作装置１から電子機器２のメーカー・機種コードＭａ、遠隔操作信号コードなどを受信し、電子機器２に対する遠隔操作装置を構成してもよい。また、電子機器２からの要求を受信して、電子機器２が表示したＷｅｂページなどのコンテンツに対する文字入力手段、仮名・漢字変換手段（インプットメソッド）、タッチパッド手段（カーソル操作など）、タッチインターフェース手段（タップ、スワイプ、スクロール、ピンチイン、ピンチアウトなど）を利用者に提供し、各手段の処理結果である入力された文字、変換後の漢字、タッチパッド・タッチインターフェースの操作情報を電子機器２に応答する構成としてもよい。
【００１４】
以上の説明においては、通信制御プログラムを含む各種制御プログラムが、予めＲＯＭに格納されている場合について説明したが、制御プログラムを、コンピュータ部で読取可能な記憶媒体に記録するようにしてもよい。このような構成であれば、コンピュータ部によってプログラムが記憶媒体から読み取られ、読み取られたプログラムに従ってコンピュータ部が処理を実行すると、上記実施形態の装置と同等の作用および効果が得られる。
【００１５】
ここで、記憶媒体とは、ＲＡＭ、ＲＯＭ等の半導体記憶媒体、ＦＤ、ＨＤＤ等の磁気記憶型記憶媒体、ＣＤ、ＤＶＤ、ＢＤ等の光学的読取方式記憶媒体、ＭＯ等の磁気記憶型／光学的読取方式記憶媒体であって、電子的、磁気的、光学的等の読み取り方法のいかんにかかわらず、コンピュータ部で読み取り可能な記憶媒体であれば、どのような記憶媒体であってもよい。
【００１６】
また、インターネット、ＬＡＮ等のネットワークシステムを介して制御プログラムをダウンロードし、インストールして実行するように構成することも可能である。
【符号の説明】
【００１７】
１…遠隔操作装置，２…電子機器，３…携帯端末，４…決済サーバ，１０…インターネット，２０…赤外線信号，２１…無線通信，３０…ＮＦＣペアリング，Ｍａ…ＭＡＣアドレス
【図１】
2015213267.tif 000003
【手続補正書】
【提出日】平成26年12月11日(2014.12.11)
【手続補正２】
【補正対象書類名】特許請求の範囲
【補正対象項目名】全文
【補正方法】変更
【補正の内容】
【特許請求の範囲】
【請求項１】
端末（３）は、ＮＦＣペアリング手段（３０）を用い、かざされたことに応じて、電子機器（２）とデータ通信（２１）を開設し前記電子機器（２）に対する利用者インターフェースとして機能する過程と、
前記電子機器（２）からの要求に応じて、文字入力手段、インプットメソッド手段、タッチパッド手段、タッチインターフェース手段の何れかを利用者に提供する過程を制御することを特徴とする方法。
【請求項２】
コンピュータを、請求項１に記載の方法を実現させるために用いた前記端末（３）として機能させるための制御プログラム。
【請求項３】
請求項１に記載の方法を実現させるために用いたことを特徴とする電子機器（２）。
【請求項４】
請求項３に記載の電子機器（２）によることを特徴とする方法。
【手続補正３】
【補正対象書類名】明細書
【補正対象項目名】０００６
【補正方法】変更
【補正の内容】
【０００６】
上記課題を解決するため本発明の二者間通信開始方法において、端末（３）は、ＮＦＣペアリング手段（３０）を用い、かざされたことに応じて、電子機器（２）とデータ通信（２１）を開設し前記電子機器（２）に対する利用者インターフェースとして機能する過程と、前記電子機器（２）からの要求に応じて、文字入力手段、インプットメソッド手段、タッチパッド手段、タッチインターフェース手段の何れかを利用者に提供する過程を制御することを特徴とする。
【手続補正書】
【提出日】平成27年9月3日(2015.9.3)
【手続補正１】
【補正対象書類名】特許請求の範囲
【補正対象項目名】全文
【補正方法】変更
【補正の内容】
【特許請求の範囲】
【請求項１】
端末（３）は、電子機器（２）に対する文字入力手段、インプットメソッド手段、タッチパッド手段、タッチインターフェース手段の何れかを利用者に提供する過程と、
前記電子機器（２）を遠隔操作する遠隔操作装置（１）と近距離通信手段（３０）の実施に応じて、前記文字入力手段、前記インプットメソッド手段、前記タッチパッド手段、前記タッチインターフェース手段の何れかと、前記電子機器（２）との間のデータの遣り取りを行う過程を含むことを特徴とする方法。
【請求項２】
コンピュータを、請求項１に記載の方法を実現させるために用いた前記端末（３）として機能させるための制御プログラム。
【請求項３】
請求項１に記載の方法を実現させるために用いたことを特徴とする電子機器（２）。
【手続補正２】
【補正対象書類名】明細書
【補正対象項目名】０００６
【補正方法】変更
【補正の内容】
【０００６】
上記課題を解決するため本発明の二者間通信開始方法において、端末（３）は、電子機器（２）に対する文字入力手段、インプットメソッド手段、タッチパッド手段、タッチインターフェース手段の何れかを利用者に提供する過程と、前記電子機器（２）を遠隔操作する遠隔操作装置（１）と近距離通信手段（３０）の実施に応じて、前記文字入力手段、前記インプットメソッド手段、前記タッチパッド手段、前記タッチインターフェース手段の何れかと、前記電子機器（２）との間のデータの遣り取りを行う過程を含むことを特徴とする。